(57)【要約】【課題】スライド式気密扉装置の構造を簡素化することができると共に、扉体を１方向にスライドさせるだけで開口部を気密に閉塞でき、スライド式気密扉装置の開閉時間を短縮することができるスライド式気密扉装置を提供する。【解決手段】壁面１１に対して扉体３０が平行にスライド自在に組み付けられ、扉体３０により壁面１１に形成される開口部１２を気密に閉塞するスライド式気密扉装置１０であって、扉体３０は、扉体３０の閉方向に向かって徐々に壁面１１との間隔が大きくなる扉側傾斜面３３を有し、壁面１１は、扉体３０の閉方向に向かって徐々に扉体３０との間隔が小さくなる壁側傾斜面２３を有する。【選択図】図２
2007277917.tif 000002
【特許請求の範囲】
【請求項１】
壁面に対して扉体が平行にスライド自在に組み付けられ、前記扉体により前記壁面に形成される開口部を気密に閉塞するスライド式気密扉装置であって、
前記扉体は、前記扉体の閉方向に向かって徐々に前記壁面との間隔が大きくなる扉側傾斜面を有し、
前記壁面は、前記扉体の閉方向に向かって徐々に前記扉体との間隔が小さくなる壁側傾斜面を有することを特徴とするスライド式気密扉装置。
【請求項２】
前記扉体の壁側外周縁部及び前記壁面の前記開口部の扉側外周縁部の少なくとも一方に弾性部材を設け、
前記弾性部材自体の形状により、前記扉側傾斜面及び前記壁側傾斜面を形成することを特徴とする請求項１記載のスライド式気密扉装置。
【請求項３】
前記扉体の壁側外周縁部及び前記壁面の前記開口部の扉側外周縁部の少なくとも一方に矩形状の枠体を設け、
前記枠体自体の形状により、前記扉側傾斜面及び前記壁側傾斜面を形成することを特徴とする請求項１記載のスライド式気密扉装置。
【請求項４】
前記扉体の前記壁側外周縁部に設けられる前記枠体及び前記壁面の前記開口部の前記扉側外周縁部に設けられる前記枠体の少なくとも一方に弾性部材を設けることを特徴とする請求項３記載のスライド式気密扉装置。
【請求項５】
壁面に対して２枚の扉体が平行にスライド自在に組み付けられ、前記２枚の扉体が前記壁面に形成される開口部の両側から中央に向かってそれぞれスライドし、前記開口部の中央において前記２枚の扉体が召し合わされることにより、前記壁面の前記開口部を気密に閉塞するスライド式気密扉装置であって、
前記扉体は、前記開口部の中央に向かって徐々に前記壁面との間隔が大きくなる扉側傾斜面を有し、
前記壁面は、前記開口部の中央に向かって徐々に前記扉体との間隔が小さくなる壁側傾斜面を有することを特徴とするスライド式気密扉装置。
【発明の詳細な説明】
【技術分野】
【０００１】
本発明は、気密室等の壁面に形成される開口部を気密に閉塞するスライド式気密扉装置に関する。
【背景技術】
【０００２】
従来のスライド式気密扉装置として、駆動装置により扉体をスライドさせ、押付装置により扉体を開口部側に移動させて、扉体を開口部に押圧させるように構成したスライド式気密扉装置が知られている（例えば、特許文献１参照）。
【０００３】
【特許文献１】特開２００３−２３２１７２号公報
【発明の開示】
【発明が解決しようとする課題】
【０００４】
しかしながら、特許文献１に記載のスライド式気密扉装置では、扉体をスライドさせるための駆動装置と、扉体を開口部側に移動させるための押付装置と、を備えているため、気密扉の構造が複雑になってしまうと共に、扉体を異なる２方向に移動させることになるので、開閉に多くの時間を要してしまうという課題があった。
【０００５】
本発明は、このような不都合を解消するためになされたものであり、その目的は、スライド式気密扉装置の構造を簡素化することができると共に、扉体を１方向にスライドさせるだけで開口部を気密に閉塞でき、スライド式気密扉装置の開閉時間を短縮することができるスライド式気密扉装置を提供することにある。
【課題を解決するための手段】
【０００６】
本発明の上記目的は、下記の構成により達成される。
（１）  壁面に対して扉体が平行にスライド自在に組み付けられ、扉体により壁面に形成される開口部を気密に閉塞するスライド式気密扉装置であって、扉体は、扉体の閉方向に向かって徐々に壁面との間隔が大きくなる扉側傾斜面を有し、壁面は、扉体の閉方向に向かって徐々に扉体との間隔が小さくなる壁側傾斜面を有することを特徴とするスライド式気密扉装置。
（２）  扉体の壁側外周縁部及び壁面の開口部の扉側外周縁部の少なくとも一方に弾性部材を設け、弾性部材自体の形状により、扉側傾斜面及び壁側傾斜面を形成することを特徴とする（１）に記載のスライド式気密扉装置。
（３）  扉体の壁側外周縁部及び壁面の開口部の扉側外周縁部の少なくとも一方に矩形状の枠体を設け、枠体自体の形状により、扉側傾斜面及び壁側傾斜面を形成することを特徴とする（１）に記載のスライド式気密扉装置。
（４）  扉体の壁側外周縁部に設けられる枠体及び壁面の開口部の扉側外周縁部に設けられる枠体の少なくとも一方に弾性部材を設けることを特徴とする（３）に記載のスライド式気密扉装置。
（５）  壁面に対して２枚の扉体が平行にスライド自在に組み付けられ、２枚の扉体が壁面に形成される開口部の両側から中央に向かってそれぞれスライドし、開口部の中央において２枚の扉体が召し合わされることにより、壁面の開口部を気密に閉塞するスライド式気密扉装置であって、扉体は、開口部の中央に向かって徐々に壁面との間隔が大きくなる扉側傾斜面を有し、壁面は、開口部の中央に向かって徐々に扉体との間隔が小さくなる壁側傾斜面を有することを特徴とするスライド式気密扉装置。
【発明の効果】
【０００７】
本発明のスライド式気密扉装置によれば、扉体は、扉体の閉方向に向かって徐々に壁面との間隔が大きくなる扉側傾斜面を有し、壁面は、扉体の閉方向に向かって徐々に扉体との間隔が小さくなる壁側傾斜面を有するため、扉体が開状態から閉状態に１方向にスライドされることにより、扉体の扉側傾斜面と壁面の壁側傾斜面とが気密に面接触するので、壁面の開口部を気密に閉塞することができる。これにより、従来のスライド式気密扉装置のように押付装置を設ける必要がないので、スライド式気密扉装置の構造を簡素化することができると共に、扉体を１方向にスライドさせるだけで開口部を気密に閉塞することができ、スライド式気密扉装置の開閉時間を短縮することができる。
【発明を実施するための最良の形態】
【０００８】
以下、本発明に係るスライド式気密扉装置の一実施形態について、図面を参照して詳細に説明する。なお、本実施形態では、電動式のスライド式気密扉装置を例に説明する。
図１は本発明に係るスライド式気密扉装置の一実施形態を説明するための正面図、図２は図１のＡ−Ａ線矢視断面図、図３は図１のＢ−Ｂ線矢視断面図、図４は図２に示すスライド式気密扉装置の要部拡大断面図である。
【０００９】
図１〜図３に示すように、本実施形態のスライド式気密扉装置１０は、開口部１２が形成される壁面１１と、壁面１１に形成される開口部１２を気密に閉塞する扉体３０と、壁面１１の開口部１２の上方に設けられ、壁面１１に対して平行に扉体３０をスライド自在に移動させる扉体駆動装置４０と、を備える。
【００１０】
壁面１１の開口部１２には、その外周縁部の全周に亘ってドア枠２０が設けられる。このドア枠２０は、図２及び図３に示すように、断面略コの字状の板状部材であって、ドア枠２０の室外側端面は、開口部１２の扉側外周縁部２１を構成する。そして、扉側外周縁部２１には、全周に亘って矩形状の壁側枠体（枠体）２２が取り付けられる。
【００１１】
壁側枠体２２は、ステンレス鋼等の金属や合成樹脂からなる枠状部材であって、この壁側枠体２２の室外側端面は、扉体３０の閉方向（図２の右方向）に向かって徐々に扉体３０との間隔が小さくなるように所定の傾斜角度で形成されて、壁側傾斜面２３を構成する。
【００１２】
また、壁側枠体２２の壁側傾斜面２３には、図４に示すように、凹溝形状の弾性部材収容部２４が形成されており、この弾性部材収納部２４に弾性部材であるパッキン２５が取り付けられる。なお、弾性部材収納部２４は、壁側傾斜面２３と同一の傾斜角度で形成される。
【００１３】
パッキン２５は、図４に示すように、弾性を有するゴム素材からなる中空状部材であって、このパッキン２５の圧接面２６は、圧接面側を凸とする湾曲形状に形成される。また、パッキン２５の圧接面２６は、パッキン２５が壁側枠体２２の弾性部材収容部２４に取り付けられた状態において、壁側傾斜面２３よりも外方に突出して配置される。
【００１４】
扉体３０は、図２〜図４に示すように、フレーム及びパネルを組み立てたステンレス鋼製の平板状部材であって、この扉体３０の室内側端面の周縁部は、開口部１２の扉側外周縁部２１に対向する壁側外周縁部３１を構成する。そして、壁側外周縁部３１には、全周に亘って矩形状の扉側枠体（枠体）３２が取り付けられる。なお、図１中、符号３８は埋込引手、符号３９は窓部である。
【００１５】
扉側枠体３２は、ステンレス鋼等の金属や合成樹脂からなる枠状部材であって、この扉側枠体３２の室内側端面は、扉体３０の閉方向（図２の右方向）に向かって徐々に壁面１１との間隔が大きくなるように所定の傾斜角度で形成されて、扉側傾斜面３３を構成する。
【００１６】
また、扉体３０の上端部には、２個の扉付ガイドローラ３４が回動自在に組み付けられており、この扉付ガイドローラ３４は、後述するカバー４７に取り付けられるガイドプレート３５に当接している。さらに、扉体３０の下端部には、扉付ガイドプレート３６が取り付けられており、この扉付ガイドプレート３６は、床面１３上に回動自在に組み付けられる２個の床付ガイドローラ３７と当接している。これにより、扉体３０は、ガイドプレート３５及び床付ガイドローラ３７によりスライド移動が案内されると共に、室外側への移動が抑制されるので、開方向及び閉方向に壁面１１と平行にスムースにスライドする。
【００１７】
扉体駆動装置４０は、図１及び図３に示すように、壁面１１の開口部１２の上方に床面１３と平行に固定されるガイドレール４１と、上端部がガイドレール４１にスライド自在に組み込まれるローラ４３に接続されると共に、下端部が扉体３０の上端部に固定される２個の吊り金具４２と、吊り金具４２をスライドさせるドアエンジン４４と、ドアエンジン４４を駆動制御する不図示の制御部を有する室外側の制御盤４５及び室内側の制御盤４６と、を備える。そして、この扉体駆動装置４０では、制御盤４５，４６とドアエンジン４４とがそれぞれ電気的に接続されており、各制御盤４５，４６から入力される信号に応じてドアエンジン４４が駆動制御されて、扉体１１を開方向又は閉方向にスライドさせる。また、ガイドレール４１、吊り金具４２、ローラ４３、及びドアエンジン４４は、壁面１１に着脱自在に固定されるカバー４７により覆われている。
【００１８】
そして、このように構成されたスライド式気密扉装置１０では、使用者により制御盤４５，４６が操作されることによって、ドアエンジン４４が駆動制御されて、扉体３０をガイドレール４１に沿って開方向（図１の左方向）にスライド移動させる。次いで、使用者が通過し一定時間経過すると、ドアエンジン４４が駆動制御されて、扉体３０をガイドレール４１に沿って閉方向（図１の右方向）にスライド移動させる。そして、上記扉体３０の閉方向へのスライド移動の際に、壁側枠体２２の壁側傾斜面２３と扉側枠体３２の扉側傾斜面３３とが面接触するように接近し、壁側枠体２２に取り付けられたパッキン２５の圧接面２６が、扉側枠体３２の扉側傾斜面３３に全周に亘って面接触する。次いで、上記接触と同時に、パッキン２５と扉側枠体３２との競り合いによって、パッキン２５の圧接面２６と扉側枠体３２の扉側傾斜面３３との間にスライド方向と直交する圧接力が発生する。これにより、パッキン２５の圧接面２６が扉側枠体３２の扉側傾斜面３３に気密を保持して密着するので、壁面１１の開口部１２が気密に閉塞される。
【００１９】
以上説明したように、本実施形態のスライド式気密扉装置１０によれば、扉体３０は、扉体３０の閉方向に向かって徐々に壁面１１との間隔が大きくなる扉側傾斜面３３を有し、壁面１１は、扉体３０の閉方向に向かって徐々に扉体３０との間隔が小さくなる壁側傾斜面２３を有するため、扉体３０が開状態から閉状態に１方向にスライドされることにより、扉体３０の扉側傾斜面３３と壁面１１の壁側傾斜面２３とが気密に面接触するので、壁面１１の開口部１２を気密に閉塞することができる。これにより、従来のスライド式気密扉装置のように押付装置を設ける必要がないので、スライド式気密扉装置１０の構造を簡素化することができると共に、扉体３０を１方向にスライドさせるだけで開口部１２を気密に閉塞することができ、スライド式気密扉装置１０の開閉時間を短縮することができる。
【００２０】
また、本実施形態のスライド式気密扉装置１０によれば、壁面１１に設けられる壁側枠体２２の壁側傾斜面２３に弾性部材２５を設けるため、扉体３０の扉側傾斜面３３と壁面１１の壁側傾斜面２３との間の気密性を向上することができる。これにより、壁面１１の開口部１２を確実に気密に閉塞することができる。
【００２１】
また、本実施形態のスライド式気密扉装置１０によれば、弾性部材２５は、中空状部材であって、弾性部材２５の圧接面２６は、圧接面側を凸とする湾曲形状に形成されるため、弾性部材２５が扉体３０の扉側傾斜面３３に接触する際に、圧接面２６が弾性変形し易くなるので、扉体３０の扉側傾斜面３３と壁面１１の壁側傾斜面２３との間の気密性をさらに向上することができる。これにより、壁面１１の開口部１２を確実に気密に閉塞することができる。
【００２２】
さらに、本実施形態のスライド式気密扉装置１０によれば、弾性部材２５は、扉体３０に設けられる扉側枠体３２及び壁面１１に設けられる壁側枠体２２の少なくとも一方に取り付けられるため、使用による摩耗や経年劣化により弾性部材２５の特性が失われたとしても、扉側枠体３２及び壁側枠体２２を交換することなく、弾性部材２５のみを簡単に交換することができるので、スライド式気密扉装置１０のメンテナンス性を向上することができる。
【００２３】
なお、本発明は、前述した実施形態に限定されるものではなく、適宜、変形、改良等が可能である。
例えば、本実施形態では、弾性部材は、壁側枠体のみに取り付けられているが、これに限定されず、扉側枠体に取り付けても、壁側枠体及び扉側枠体の両方に取り付けてもよい。なお、壁側枠体及び扉側枠体の両方に弾性部材を取り付ける場合、弾性部材の密着性を向上するため、どちらか一方の弾性部材を無垢の板状部材にする方が好ましい。
また、本実施形態では、壁側枠体及び扉側枠体自体の形状により壁側傾斜面及び扉側傾斜面をそれぞれ形成しているが、これに限定されず、壁面の開口部の扉側外周縁部に弾性部材を設け、その弾性部材自体の形状により壁側傾斜面を形成しても、扉体の壁側外周縁部に弾性部材を設け、その弾性部材自体の形状により扉側傾斜面を形成してもよい。この場合、壁側枠体及び扉側枠体は不要である。なお、壁面の扉側外周縁部及び扉体の壁側外周縁部のうちの一方に壁側枠体又は扉側枠体を設け、他方に弾性部材を設けるようにしてもよく、その組み合せは任意である。
また、本実施形態では、壁面に対して１枚の扉体が平行にスライド自在に組み付けられるスライド式気密扉装置に本発明を適用した場合を例示したが、これに代えて、壁面に対して２枚の扉体が平行にスライド自在に組み付けられ、２枚の扉体が壁面に形成される開口部の両側から中央に向かってそれぞれスライドし、開口部の中央において２枚の扉体が召し合わされることにより、壁面の開口部を気密に閉塞するスライド式気密扉装置に本発明を適用してもよい。この場合、扉体は、開口部の中央に向かって徐々に壁面との間隔が大きくなる扉側傾斜面を有し、壁面は、開口部の中央に向かって徐々に扉体との間隔が小さくなる壁側傾斜面を有する。
また、本実施形態では、ドアエンジンを用いて扉体をスライドさせているが、これに代えて、手動で扉体をスライドさせてもよい。
さらに、本実施形態では、使用者が制御盤を操作することにより気密扉を開閉しているが、各種センサーを用いて自動的に開閉するようにしてもよい。
【図面の簡単な説明】
【００２４】
【図１】本発明に係るスライド式気密扉装置の一実施形態を説明するための正面図である。
【図２】図１のＡ−Ａ線矢視断面図である。
【図３】図１のＢ−Ｂ線矢視断面図である。
【図４】図４は図２に示すスライド式気密扉装置の要部拡大断面図である。
【符号の説明】
【００２５】
１０          スライド式気密扉装置
１１          壁面
１２          開口部
１３          床面
２０          ドア枠
２１          扉側外周縁部
２２          壁側枠体（枠体）
２３          壁側傾斜面
２４          弾性部材収容部
２５          パッキン（弾性部材）
２６          圧接面
３０          扉体
３１          壁側外周縁部
３２          扉側枠体（枠体）
３３          扉側傾斜面
３４          扉付ガイドローラ
３５          ガイドプレート
３６          扉付ガイドプレート
３７          床付ガイドローラ
３８          埋込引手
３９          窓部
４０          扉体駆動装置
４１          ガイドレール
４２          吊り金具
４３          ローラ
４４          ドアエンジン
４５，４６    制御盤
４７          カバー
【図１】
2007277917.tif 000003
【図２】
2007277917.tif 000004
【図３】
2007277917.tif 000005
【図４】
2007277917.tif 000006